【手続補正書】
【提出日】平成21年3月23日(2009.3.23)
【手続補正１】
【補正対象書類名】特許請求の範囲
【補正対象項目名】全文
【補正方法】変更
【補正の内容】
【特許請求の範囲】
【請求項１】
ゲームにおけるプレイヤーの役が、該プレイヤーのすべてに共通のゲーム要素と組み合わせられた前記プレイヤーにより選択されるエントリーからなる、コンピュータシミュレーション仮想くじゲームをコンピュータ上で行うための方法であって、
仮想ゲームに対する複数のエントリーをプレイヤーに表示するステップであって、該複数のエントリーの各々が少なくとも２つのゲーム要素を含み、該ゲーム要素の各々が前記仮想ゲームのゲームルールに従ってゲームの値を有し、前記エントリーのすべての前記要素の前記ゲームの値が前記プレイヤーに表示され、プレイヤーの各々の役が前記エントリーの１つと１組の共通ゲーム要素からなるステップと、
前記それぞれのゲームエントリーの各々を有する役に対する勝利オッズ、及びそれぞれのエントリーの各々に与えられる、前記勝利オッズに反比例する賞金額を前記プレイヤーに表示するステップと、
前記複数のエントリー及び関連する勝利オッズを前記プレイヤーに表示するステップの後、前記複数のエントリーの少なくとも１つに関連する最初の賭けを前記プレイヤーから受け取るステップと、
前記プレイヤーの最初の賭けを受け取った後、前記更なる共通ゲーム要素を前記プレイヤーに表示し、それによって他の役と比較したときの、前記仮想ゲームにおけるプレイヤーの役の前記値が前記プレイヤーの最初のエントリーの選択によって決定されるステップと、
前記エントリーのすべてに共通する前記更なるゲーム要素を前記プレイヤーに表示するステップと、
前記共通ゲーム要素の少なくともいくつかの追加に基づいて前記複数のエントリーの各々に関連する勝利オッズを更新するステップと、
予め定義されたルールに従って前記共通ゲーム要素と組み合わせられた前記複数のエントリーから勝利エントリーを決定するステップと、
前記勝利エントリーに賭けた前記プレイヤーに、前記勝利エントリーに割り当てられた前記賞金額を与えるステップと、
を含むことを特徴とする方法。
【請求項２】
前記更なる共通ゲーム要素に基づいて前記オッズを更新した後に、前記複数のエントリーの各々に関連する前記賞金を同じに維持するステップを更に含むことを特徴とする請求項１に記載の方法。
【請求項３】
前記共通ゲーム要素を前記プレイヤーに表示するステップは、３つのゲーム要素の組を前記プレイヤーに表示し、２つのゲーム要素の更なる組を前記プレイヤーに表示するステップを更に含むことを特徴とする請求項１に記載の方法。
【請求項４】
前記３つのゲーム要素の組を前記プレイヤーに表示した後、前記複数のエントリーの各々に関連する前記勝利オッズを更新するステップを更に含むことを特徴とする請求項３に記載の方法。
【請求項５】
前記２つのゲーム要素の組を前記プレイヤーに表示するステップは更に、ゲーム要素を１つずつ表示するステップを含むことを特徴とする請求項３に記載の方法。
【請求項６】
前記複数のエントリーの少なくとも１つに関連する前記賭けのしるしの付いた券を前記プレイヤーに発行するステップを更に含むことを特徴とする請求項１に記載の方法。
【請求項７】
非勝利エントリーに関連する非勝利のしるしをプレイヤーに表示するステップを更に含むことを特徴とする請求項１に記載の方法。
【請求項８】
前記くじゲームは、シミュレーション・テキサス・ホールデム・ポーカー・ゲームであり、前記予め定義されたルールは、テキサス・ホールデム・ポーカーのルールに関連するものであることを特徴とする請求項１に記載の方法。
【請求項９】
くじゲームにおけるプレイヤーの役が、前記プレイヤーにより選択されるエントリーと組み合わせられた１組の共通ゲーム要素からなる、コンピュータシミュレーション仮想くじゲームを行うための装置であって、
制御部と、
前記制御部と通信する表示装置であって、複数のエントリーをプレイヤーに表示し、該複数のエントリーの各々が少なくとも２つのゲーム要素を含み、ゲーム要素の各々が前記仮想ゲームのゲームルールに従って表示されたゲームの値を有し、前記複数のエントリーの各々に対して勝利オッズ及び賞金額が表示されるよう構成された表示装置と、
前記制御部と通信するプレイヤー入力装置であって、前記表示装置が前記エントリー並びにそれぞれの各エントリーに対する関連するオッズ及び賞金額を表示した後、最初のプレイヤーの賭けを前記プレイヤーから受信し、前記複数のエントリーの少なくとも１つに関連する前記プレイヤーの賭けを前記制御部に送信するよう構成されたプレイヤー入力装置と、
前記制御部と通信する券発行装置であって、情報を前記制御部から受信し、券を前記プレイヤーに発行するよう構成された券発行装置と、
を含み、
前記表示装置は更に、プレイ情報を前記制御部から受信し、前記プレイ情報をプレイヤーに表示し、前記プレイヤーの最初の賭けの受信後、前記複数のエントリーの各々に関連する更新された勝利オッズと共に前記共通ゲーム要素を表示し、それによって他の役と比較したときの、前記仮想ゲームにおけるプレイヤーの役の前記値が前記プレイヤーの最初のエントリーの選択によって決定されるよう構成され、
前記制御部は、予め定義されたルールに従って前記複数のエントリーから勝利エントリーを決定するよう構成されていることを特徴とする装置。
【請求項１０】
前記表示装置は更に、前記３つのゲーム要素の組を前記プレイヤーに表示した後、共通ゲーム要素の関数として、前記複数のエントリーの各々に対する前記勝利オッズを更新し標示するよう構成されていることを特徴とする請求項９に記載の装置。
【請求項１１】
前記表示装置は更に、非勝利エントリーに関連する非勝利のしるしをプレイヤーに表示するよう構成されていることを特徴とする請求項９に記載の装置。
【請求項１２】
前記くじゲームは、シミュレーション・テキサス・ホールデム・ポーカー・ゲームであり、前記予め定義されたルールは、テキサス・ホールデム・ポーカーのルールに関連するものであることを特徴とする請求項９に記載の装置。
【請求項１３】
くじゲームにおけるプレイヤーの役が、１組の共通ゲーム要素と組み合わせられた前記プレイヤーにより選択されるエントリーからなる、コンピュータシミュレーション仮想くじゲームを行うためのシステムであって、
通信ネットワークと、
前記通信ネットワークと通信するゲーミング装置と、
前記ゲーミング装置と通信するサーバと、
を含み、
前記ゲーミング装置は、
ゲーム情報を前記サーバから受信し、
複数のゲームエントリーをプレイヤーに表示し、エントリーの各々が少なくとも２つのゲーム要素を含み、ゲーム要素の各々が前記仮想ゲームのゲームのルールに従って表示されたゲームの値を有し、勝利オッズ及び賞金額が前記複数のエントリーの各々に対して表示され、前記サーバが前記賞金額が前記勝利オッズに反比例するように前記くじゲームに対する総支払額の関数として前記賞金額を計算し、
前記エントリー並びに関連する各それぞれのエントリーに対するオッズ及び賞金額の表示後、前記複数のゲームエントリーの少なくとも１つに関連する最初のプレイヤーの賭けを前記プレイヤーから受信し、
前記プレイヤーの賭けを前記サーバに送信し、
券情報を前記サーバから受信し、
券を前記プレイヤーに発行し、
前記ゲームエントリーのすべてに共通する、前記サーバからの更なるゲーム要素を受信し、
前記プレイヤーの最初の賭けの受信後、前記共通ゲーム要素を前記プレイヤーに表示し、それによって他の役と比較したときの、前記仮想ゲームにおけるプレイヤーの役の前記値が前記プレイヤーの最初のエントリーの選択によって決定され、
少なくともいくつかの前記共通ゲーム要素の関数として、前記複数のエントリーの各々に対する前記勝利オッズを更新し、
予め定義されたルールに従って決定される勝利情報を前記サーバから受信するよう構成されていることを特徴とするシステム。
【請求項１４】
前記ゲーミング装置は更に、前記プレイヤーの賭けが前記プレイヤーから受信された後に３つの共通ゲーム要素の組を表示し、前記３つの共通ゲーム要素の関数として、勝利オッズを更新するよう構成されていることを特徴とする請求項１３に記載の装置。
【請求項１５】
前記券は、前記複数のゲームエントリーの少なくとも１つに関連する前記プレイヤーの賭けを含むことを特徴とする請求項１３に記載の装置。
【請求項１６】
前記ゲーミング装置は更に、非勝利エントリーに関連する非勝利のしるしを表示するよう構成されていることを特徴とする請求項１３に記載の装置。
【請求項１７】
シミュレーションカードゲームを行うための方法であって、
仮想ゲームに対する、複数のエントリー及び少なくとも１組の共通ゲーム要素をプレイヤーに表示し、エントリーの各々が少なくとも２つのゲーム要素を含み、ゲーム要素の各々が前記仮想ゲームのゲームルールに従ってゲームの値と関連づけられるステップと、
前記複数のエントリー及び少なくとも１組の共通ゲーム要素をプレイヤーに表示した後、前記プレイヤーに利用可能ないくつかの異なる賭け形式の少なくとも１つに関連する賭けを、前記複数のエントリーの少なくとも１つに関連する前記プレイヤーから受け取るステップと、
前記共通ゲーム要素の組の前記残りのゲーム要素を前記プレイヤーに表示するステップと、
前記複数のエントリー、前記少なくとも１つの賭け形式に基づき、且つ前記仮想ゲームの前記ゲームルールに従って前記賭けが勝つか否かを決定するステップと、
を含むことを特徴とする方法。
【請求項１８】
前記少なくとも１つの賭け形式は、勝利賭け、イベントベースの賭け、及び累積的賭けの少なくとも１つを含むことを特徴とする請求項１７に記載の方法。
【請求項１９】
前記イベントベースの賭けは、手札の種類の賭けを含むことを特徴とする請求項１８に記載の方法。
【請求項２０】
前記イベントベースの賭けは、固定オッズの賭けを含むことを特徴とする請求項１８に記載の方法。
【請求項２１】
前記少なくとも１つの賭け形式は、パリミュチュエル形式の賭けを含むことを特徴とする請求項１７に記載の方法。
【請求項２２】
前記少なくとも１つの賭け形式は、複数ゲームの賭けを含むことを特徴とする請求項１７に記載の方法。
【請求項２３】
各々がエントリーに関連づけられた、複数の賞金をプレイヤーに表示するステップと、
を更に含むことを特徴とする請求項１７に記載の方法。
【請求項２４】
前記共通ゲーム要素の組の前記残りを表示する前記ステップは、
前記共通ゲーム要素の組の前記残りを１つずつ表示するステップと、
前記共通ゲーム要素の各々が表示された後、前記勝利オッズを更新するステップと、
を含むことを特徴とする請求項１７に記載の方法。
【請求項２５】
前記プレイヤーの賭けの指示で券を発行するステップを更に含むことを特徴とする請求項１７に記載の方法。
【請求項２６】
前記共通ゲーム要素の組は、５つの共通ゲーム要素を含み、前記ゲームルールは、テキサス・ホールデム・ポーカーのルールを含むことを特徴とする請求項１７に記載の方法。
【請求項２７】
前記複数のエントリー及び前記共通ゲーム要素の組を表示する前記ステップ、及び前記共通ゲーム要素の組の前記残りを前記プレイヤーに表示する前記ステップは、生のディールに基づくことを特徴とする請求項１７に記載の方法。
【請求項２８】
前記複数のエントリー及び前記共通ゲーム要素の組を表示する前記ステップ、前記共通ゲーム要素の組の前記残りを前記プレイヤーに表示する前記ステップ、及び前記賭けを前記プレイヤーから受け取るステップは、通信ネットワークを介して行われることを特徴とする請求項１７に記載の方法。
【請求項２９】
シミュレーションカードゲームを行うための装置であって、
制御部と、
前記制御部と通信する表示装置であって、エントリーの各々が少なくとも２つのゲーム要素を含み、ゲーム要素の各々が前記仮想ゲームのゲームルールに従ってゲームの値と関連づけられる、複数のエントリー及び少なくとも１組の共通ゲーム要素をプレイヤーに表示するよう構成された表示装置と、
前記制御部と通信するプレイヤー入力装置であって、前記プレイヤーにより前記プレイヤーに利用可能な複数の異なる賭け形式から選択された、少なくとも１つの賭け形式の、前記複数のエントリーの少なくとも１つに関連するプレイヤーの賭けを受信し、前記表示装置が前記複数のエントリー及び少なくとも１組の共通ゲーム要素を前記プレイヤーに表示した後、前記プレイヤーの賭けを前記制御部に送信するよう構成されたプレイヤー入力装置と、
前記制御部と通信する券発行装置であって、券情報を前記制御部から受信し、券を前記プレイヤーに発行するよう構成された券発行装置と、
を含み、
前記表示装置は、プレイ情報を前記制御部から受信し、更に前記プレイ情報をプレイヤーに表示するよう構成され、前記制御部は、前記複数のエントリーに基づき、且つ前記仮想ゲームの前記ゲームルールに従って前記プレイヤーの賭けが勝つか否かを決定し、
前記表示装置は更に、前記共通ゲーム要素の組の前記残りを１つずつ表示し、前記プレイヤー入力装置が前記プレイヤーの賭けを受信する前且つ前記１組の共通ゲーム要素の各々が表示された後に、前記複数のエントリー及び少なくとも１組の共通ゲーム要素の初期表示と共に勝利オッズを表示するステップと、
するよう構成されたことを特徴とする装置。
【請求項３０】
前記少なくとも１つの賭け形式は、勝利賭け、イベントベースの賭け、累積的賭け、手札の種類の賭け、固定オッズの賭け、パリミュチュエル形式の賭け、及び複数ゲームの賭けの少なくとも１つを含むことを特徴とする請求項２９に記載の装置。
【請求項３１】
前記共通ゲーム要素の組は、５つの共通ゲーム要素を含み、前記ゲームルールは、テキサス・ホールデム・ポーカーのルールを含むことを特徴とする請求項２９に記載の装置。
【請求項３２】
シミュレーションカードゲームを行うためのシステムであって、
通信ネットワークと、
前記通信ネットワークと通信する、少なくとも１つのゲーミング装置と、
前記通信ネットワークを介して前記少なくとも１つのゲーミング装置と通信する、仮想ゲームをホストするよう構成されたサーバと、
を含み、
前記少なくとも１つのゲーミング装置は、
ゲーム情報を前記サーバから受信し、エントリーの各々が少なくとも２つのゲーム要素を含み、ゲーム要素の各々が前記仮想ゲームのゲームルールに従ってゲームの値と関連づけられる、複数のゲームエントリー及び少なくとも１組の共通ゲーム要素をプレイヤーに表示し、
前記複数のエントリー及び少なくとも１組の共通ゲーム要素をプレイヤーに表示した後、前記プレイヤーに利用可能な複数の異なる賭け形式からの少なくとも１つであるプレイヤーの賭けを、前記複数のゲーム要素の少なくとも１つに関連する前記プレイヤーから受信し、前記プレイヤーの賭けを前記サーバに送信し、
券情報を前記サーバから受信し、券を前記プレイヤーに発行し、
前記共通ゲーム要素の組の前記残りをプレイヤーに表示し、
前記複数のエントリーに基づき、且つ前記仮想ゲームの前記ゲームルールに従って前記プレイヤーの賭けが勝つか否かを特定する勝利情報を前記サーバから受信するよう構成されていることを特徴とするシステム。
【請求項３３】
前記プレイヤーの賭けは、勝利賭け、イベントベースの賭け、累積的賭け、手札の種類の賭け、固定オッズの賭け、パリミュチュエル形式の賭け、及び複数ゲームの賭けの少なくとも１つを含むことを特徴とする請求項３２に記載の装置。
【請求項３４】
前記共通ゲーム要素の組は、５つの共通ゲーム要素を含み、前記ゲームルールは、テキサス・ホールデム・ポーカーのルールを含むことを特徴とする請求項３２に記載の装置。
【請求項３５】
前記サーバは、生のゲームに基づいて前記仮想ゲームをホストすることを特徴とする請求項３２に記載の装置。